(57)【要約】【課題】光学デバイスを汚損することなく、低コストで使い勝手のよい光デバイス用梱包ケースを提供することを目的とする。【解決手段】梱包ケース本体１０の内部底面に所定の間隔で点状のゲルを複数配置し、夫々のゲル１１の表面に光学デバイス１２を固着させる。又、光学デバイス１２の収容数を増すため、光学デバイス１２を縦置きしている。又、光学デバイス１２を縦置きすることにより、光学デバイス１２の光学面を汚損することは無い。一方、ゲル１１の固着力により光学デバイス１２は自立しているが、更に耐振強度を高めるため、蓋１３には、蓋１３を用いて光学デバイス１２を保持するための保持材１４が前記光学デバイス１２を固着自立させた位置に対応して設けられており、梱包ケース本体１０に蓋１３を被せる事により光学デバイスを保持する。【選択図】    図１
2006151462.tif 000002
【特許請求の範囲】
【請求項１】
光学デバイスを収納する梱包ケースであって、
箱型の形状をした梱包ケース本体の内部底面に所定の間隔で点状のゲルを複数配列し、夫々のゲルの表面に光学デバイスを縦置きして固着自立させ、該固着自立させた複数の光学デバイスに対応する位置に保持材を有する蓋を前記梱包ケース本体に被せて、前記複数の光学デバイスを前記保持材により保持したことを特徴とする光学デバイス用梱包ケース。
【請求項２】
光学デバイスを収納する梱包ケースであって、
箱型の形状をした梱包ケース本体の内部底面に所定の間隔で点状のゲルを複数配列し、夫々のゲルの表面に光学デバイスを縦置きして固着自立させ、該固着自立させた複数の光学デバイスに対応する位置に設けた保持材を有する仕切り板を前記光学デバイスに被せて前記光学デバイスを前記保持材により保持すると共に、前記仕切り板の上面に所定の間隔で点状のゲルを複数配列し、夫々のゲルの表面に光学デバイスを縦置きして固着自立させ、該固着自立させた複数の光学デバイスに対応する位置に設けた保持材を有する蓋を前記梱包ケース本体に被せて、前記複数の光学デバイスを前記保持材により保持したことを特徴とする光学デバイス用梱包ケース。
【請求項３】
光学デバイスを収納する梱包ケースであって、
所定の間隔で点状のゲルを複数配列した下板の前記ゲルの夫々に、複数の光学デバイスを縦置きして固着自立させ、該固着自立させた光学デバイスに対応する位置に保持材を設けた上板で挟み込んで保持した複数の光学デバイスを、箱型の梱包ケース本体に収納して蓋を被せたことを特徴とする光学デバイス用梱包ケース。
【請求項４】
縦置きして固着自立させた複数の光学デバイスの光学面の間に、前記梱包ケースの壁面内側から光学デバイスの光学面と平行に延びる光学デバイスの倒れ防止用ガイドを設けたことを特徴とする請求項１乃至３に記載の光学デバイス用梱包ケース。
【請求項５】
前記梱包ケースにおいて、ゲルを所定の幅で帯状に配置し、該ゲル上に所定の間隔で複数の光学デバイスを固着自立させたことを特徴とする請求項１乃至４に記載の光学デバイス用梱包ケース。
【請求項６】
光学デバイスを収納する梱包ケースであって、
箱型の形状をした梱包ケース本体の内部底面に、所定の形状で複数の凹部を帯状に設け、該凹部に点状のゲルを配列し、該ゲルの表面に光学デバイスを縦置きして固着自立させ、該固着自立させた複数の光学デバイスに対応する位置に設けた保持材を有する蓋を前記梱包ケース本体に被せて、前記複数の光学デバイスを前記保持材により保持したことを特徴とする光学デバイス用梱包ケース。
【請求項７】
光学デバイスを収納する梱包ケースであって、
箱型の形状をした梱包ケース本体の内部底面の所定の位置に、自立させる光学デバイス底面の両角に対応した間隔で２個所の点状のゲルを複数配列し、夫々の１対のゲルの表面に光学デバイスを固着自立させ、該固着自立させた光学デバイスに対応する位置に設けた保持材を有する蓋を前記梱包ケース本体に被せて、前記複数の光学デバイスを前記保持材により保持したことを特徴とする光学デバイス用梱包ケース。
【請求項８】
光学デバイスを収納する梱包ケースであって、
箱型の形状をした梱包ケース本体の内部底面に、平置きする複数の光学デバイスの４角に相当する位置にゲルを点状に４箇所配列し、夫々のゲルの表面に光学デバイスを固着して蓋を被せたことを特徴とする光学デバイス用梱包ケース。
【請求項９】
光学デバイスを収納する梱包ケースであって、
箱型の形状をした梱包ケース本体の内部底面に、所定の間隔で三角状のテーパー部を複数設け、該二つのテーパー部に跨って平置きした場合の光学デバイスの４角に相当する位置にゲルを点状に４個所配置して、該ゲルの表面に複数の光学デバイスを平置きして固着し、梱包ケース本体に蓋を被せたことを特徴とする光学デバイス用梱包ケース。
【発明の詳細な説明】
【技術分野】
【０００１】
本発明は光デバイス用梱包ケースに関し、特に光学デバイスを客先等に納入する際に、光学デバイスの光学面をごみや接着剤等により汚損することを防止すると共に、コストの廉価な光学デバイス用梱包ケースに関するものである。
【背景技術】
【０００２】
従来、光学デバイスを梱包する手段としては、箱型ケースの内部に設けた所定の形状の複数の凹部に光学デバイスを収容し、蓋を被せた構造の梱包ケースが使用されていた。この様な梱包ケースを使用した場合には、梱包ケースを運搬中等に、梱包ケースが振動すると、内部に収容された光学デバイスが梱包ケースの凹部内壁面と接触を繰り返し、光学デバイスの鋭利な端面が削られる事等により、ごみが発生して光学デバイスの光学面を汚損する問題があった。
【０００３】
そこで、この様な問題を解決する手段として、特開２００１−２１６７号公報や、特開２００２−３７０７８０号公報に開示されているように、梱包ケースの底面に接着用の固着テープを貼り付けて光学デバイスをこの固着テープにより接着保持することが提案されている。固着テープにより光学デバイスを接着保持すると、光学デバイスは固定されてごみの発生は防止されるが、固着テープの接着剤が光学デバイスに付着するという問題が生じていた。
【０００４】
一方、光学デバイスの製造時において、前工程から後工程に光学用部材を移動するために、光学用部材を収容するトレイが用いられている。光学デバイスの製造工程においては、光学部材が汚損しないよう細心の注意が必要であるが、前記トレイは、接着用の固着テープを使用せずに、トレイの底面にゲルを施している。ゲルは固着力を有しており、光学部材を固定することが出来、接着剤を用いていないので固着テープの接着剤が光学部材に付着しないという特徴を有している。
【０００５】
ゲルを用いたトレイの具体例としては、Wisdom Opto−Electronic Technology 社の通称Sticky Carrier（ゲル・スティッキーキャリア）等があり、工程間の光学部材の移動に用いられると共に、後工程で光学部材が処理された後、再び前工程へ前記ゲル・スティッキーキャリアを戻して繰り返し使用することが可能である。
ところが、近年、最終製品である光学デバイスを前記のようなゲル・スティッキーキャリアに納めて客先に納入するよう要求をされることがあり、ゲルを用いた梱包ケースの需要が高まっている。
そこで、従来のゲル・スティッキーキャリアを用いた光デバイス用梱包ケースの例を以下に示す。
【０００６】
図１０は、従来の光デバイス用梱包ケースの第一事例の構成を示す外観例である。図１０は、梱包ケースの蓋を外した状態を示し、梱包ケース本体１の内部底面には全面にゲル２を施し、ゲル２上にプリズム３を固着して蓋４にて梱包ケース本体１を閉じた構造である。ゲル２は固着力を有しているが接着剤は使用しておらず、プリズム３を汚損することなくプリズム３を固着して、耐振動性に優れた梱包方法を提供する。
【０００７】
図１１は、従来の光デバイス用梱包ケースの第二事例の構成を示す外観例である。図１１は、梱包ケースの蓋を外した状態を示し、梱包ケース本体５の内部底面には全面にゲル２を敷き詰め、ゲル２上にローパスフィルタ６（以降、ＯＬＰＦと称す）を固着して蓋７にて梱包ケース本体５を閉じた構造である。この外観例においては、梱包ケース５にＯＬＰＦ６を平置きとして搭載しているが、収納数を大きくしたい場合には、ＯＬＰＦ５を縦置きにして搭載することも可能である。
【０００８】
図１２は、従来の光デバイス用梱包ケースの第三事例の構成を示す外観例である。図１２は、梱包ケースの蓋を外した状態を示し、梱包ケース本体８の内部底面には全面にゲル２を敷き詰め、ゲル２上にＯＬＰＦ６を縦置きで固着して蓋９にて梱包ケース本体８を閉じた構造である。この外観例においては、蓋９でＯＬＰＦ６の上部を押さえ込むようにして対振動性を向上させる。
【特許文献１】特開２００１−２１６７号公報
【特許文献２】特開２００２−３７０７８０号公報
【発明の開示】
【発明が解決しようとする課題】
【０００９】
しかしながら、従来のゲル・スティッキーキャリアを利用した光デバイス用梱包ケースは、高価なゲルを使用しているため梱包ケースがコスト高となり、製造ラインの工程間輸送に繰り返し使用する場合には有効であるが、前記梱包ケースを客先に製品と共に出荷してしまうと、梱包ケースのリサイクルを行うことが出来ず、梱包ケースのコストが製品に上乗せされて製造単価が高くなってしまうという問題が生じていた。
本発明は上述したような問題を解決するためになされたものであって、光学デバイスを汚損することなく、低コストで使い勝手のよい光デバイス用梱包ケースを提供することを目的とする。
【課題を解決するための手段】
【００１０】
上記目的を達成するために本発明に係る光デバイス用梱包ケースは、以下の構成をとる。
請求項１に記載の光デバイス用梱包ケースは、光学デバイスを収納する梱包ケースであって、箱型の形状をした梱包ケース本体の内部底面に所定の間隔で点状のゲルを複数配列し、夫々のゲルの表面に光学デバイスを縦置きして固着自立させ、該固着自立させた複数の光学デバイスに対応する位置に保持材を有する蓋を前記梱包ケース本体に被せて、前記複数の光学デバイスを前記保持材により保持するよう構成する。
【００１１】
請求項２に記載の光デバイス用梱包ケースは、光学デバイスを収納する梱包ケースであって、箱型の形状をした梱包ケース本体の内部底面に所定の間隔で点状のゲルを複数配列し、夫々のゲルの表面に光学デバイスを縦置きして固着自立させ、該固着自立させた複数の光学デバイスに対応する位置に設けた保持材を有する仕切り板を前記光学デバイスに被せて前記光学デバイスを前記保持材により保持すると共に、前記仕切り板の上面に所定の間隔で点状のゲルを複数配列し、夫々のゲルの表面に光学デバイスを縦置きして固着自立させ、該固着自立させた複数の光学デバイスに対応する位置に設けた保持材を有する蓋を前記梱包ケース本体に被せて、前記複数の光学デバイスを前記保持材により保持するよう構成する。
【００１２】
請求項３に記載の光デバイス用梱包ケースは、光学デバイスを収納する梱包ケースであって、所定の間隔で点状のゲルを複数配列した下板の前記ゲルの夫々に、複数の光学デバイスを縦置きして固着自立させ、該固着自立させた光学デバイスに対応する位置に保持材を設けた上板で挟み込んで保持した複数の光学デバイスを、箱型の梱包ケース本体に収納して蓋を被せるよう構成する。
【００１３】
請求項４に記載の光デバイス用梱包ケースは、縦置きして固着自立させた複数の光学デバイスの光学面の間に、前記梱包ケースの壁面内部から光学デバイスの光学面と平行に延びる光学デバイスの倒れ防止用ガイドを設けるよう構成する。
【００１４】
請求項５に記載の光デバイス用梱包ケースは、前記梱包ケースにおいて、ゲルを所定の幅で帯状に配置し、該ゲル上に所定の間隔で複数の光学デバイスを固着自立させるよう構成する。
【００１５】
請求項６に記載の光デバイス用梱包ケースは、光学デバイスを収納する梱包ケースであって、箱型の形状をした梱包ケース本体の内部底面に、所定の形状で複数の凹部を帯状に設け、該凹部に点状のゲルを配列し、該ゲルの表面に光学デバイスを縦置きして固着自立させ、該固着自立させた複数の光学デバイスに対応する位置に設けた保持材を有する蓋を前記梱包ケース本体に被せて、前記複数の光学デバイスを前記保持材により保持するよう構成する。
【００１６】
請求項７に記載の光デバイス用梱包ケースは、光学デバイスを収納する梱包ケースであって、箱型の形状をした梱包ケース本体の内部底面の所定の位置に、自立させる光学デバイス底面の両角に対応した間隔で２個所の点状のゲルを複数配列し、夫々の１対のゲルの表面に光学デバイスを固着自立させ、該固着自立させた光学デバイスに対応する位置に設けた保持材を有する蓋を前記梱包ケース本体に被せて、前記複数の光学デバイスを前記保持材により保持するよう構成する。
【００１７】
請求項８に記載の光デバイス用梱包ケースは、光学デバイスを収納する梱包ケースであって、箱型の形状をした梱包ケース本体の内部底面に、平置きする複数の光学デバイスの４角に相当する位置にゲルを点状に４箇所配置し、夫々のゲルの表面に光学デバイスを固着して蓋を被せるよう構成する。
【００１８】
請求項９に記載の光デバイス用梱包ケースは、光学デバイスを収納する梱包ケースであって、箱型の形状をした梱包ケース本体の内部底面に、所定の間隔で三角状のテーパー部を複数設け、該二つのテーパー部に跨って平置きした場合の光学デバイスの４角に相当する位置にゲルを点状に４個所配置して、該ゲルの表面に複数の光学デバイスを平置きして固着し、梱包ケース本体に蓋を被せるよう構成する。
【発明の効果】
【００１９】
請求項１及び７に記載の発明は、梱包ケース本体の内部底面に配列した点状のゲルの表面に光学デバイスを固着自立させ、蓋を被せる事により蓋に設けた保持材を用いて光学デバイスを保持したので、光学デバイスを汚損することなく低コストで使い勝手の良い梱包ケースを提供出来、光学デバイスを運搬する上で大きな効果を発揮する。
【００２０】
請求項２に記載の発明は、請求項１に記載の特徴の他、光学デバイスを２段積みにすることが出来、梱包ケースに多数の光学デバイスを収納する際に大きな効果を発揮する。
【００２１】
請求項３に記載の発明は、梱包ケースに直接複数の光学デバイスを固着していないので、光学デバイスの出荷時に取扱の自由度が増して効果的であると共に、光学デバイスを汚損することなく低コストで使い勝手の良い梱包ケースを提供出来、光学デバイスを運搬する上で大きな効果を発揮する。
【００２２】
請求項４乃至６に記載の発明は、請求項１に記載の特徴の他、自立している光学デバイスの光学面に平行にガイドを設けたものであり、梱包ケースを開封した際に、光学デバイスが倒れてしまった場合、光学デバイス同士が接触することを防ぎ、光学デバイスの破損を防ぐ上で大きな効果を発揮する。
【００２３】
請求項８、及び９に記載の発明は、光学デバイスを平置きとしたい場合に有効であり、光学デバイスを汚損することなく低コストで使い勝手の良い梱包ケースを提供出来、光学デバイスを運搬する上で大きな効果を発揮する。
【発明を実施するための最良の形態】
【００２４】
以下、図示した実施例に基づいて本発明を詳細に説明する。
本発明は、高価なゲルを梱包ケース本体の内部底面全面に渡って敷き詰めるのではなく、光学デバイスを固着するのに必要なポイントのみに点状に配置したことが特徴である。そこで、本発明によると、接着剤を含むことなく固着力を有しているゲルを使用し、光学デバイスを汚損することなく低価格な梱包ケースに収めて客先に納入出来る。
【００２５】
図１は、本発明に係る梱包ケースの第一の実施例を示す構造図である。図１（ａ）は光学デバイスを縦置きして固着した状態の蓋を外した梱包ケース本体の上面図を示し、図１（ｂ）は蓋の側面図を示し、図１（ｃ）はＡ−Ａ’に於ける断面図で蓋を被せた状態を示す。第一の実施例は、梱包ケース本体１０の内部底面に所定の間隔で点状のゲル１１を複数配列し、夫々のゲル１１の表面に光学デバイス１２を固着させたものであり、光学デバイス１２の収容数を増すため、光学デバイス１２を縦置きしている。そこで、光学デバイス１２を縦置きすることにより、光学デバイス１２の光学面を汚損することは無い。
【００２６】
一方、ゲル１１の固着力により光学デバイス１２は自立しているが、更に耐振強度を高めるため、蓋１３には、蓋１３を用いて光学デバイス１２を保持するための保持材１４が前記光学デバイス１２を固着自立させた位置に対応して設けられており、梱包ケース本体１０に蓋１３を被せる事により光学デバイスを保持する。保持材１４としては、ゲル、若しくは弾性部材として合成ゴム、アクリル、ポリウレタン、ビニール、テフロン、シリコン、シリコンゴム等が使用可能である。又、梱包ケースを開封した際に、蓋１３側に光学デバイス１２が貼りつかないように、蓋１３に設けた保持剤１４の接触面積よりゲル１１の接触面積を大きくするなどして、ゲル１１の固着力が保持材１４による保持力より勝るようにしておく。
【００２７】
尚、上述したゲルと保持剤の接触面積の関係は、以降説明する他の実施例においても同様の関係である。従って、このような梱包ケースの構造とすることにより、光学デバイスを汚損することなく低コストで使い勝手の良い梱包ケースを提供出来る。
【００２８】
図２は、本発明に係る梱包ケースの第二の実施例を示す構造図である。図２（ａ）は光学デバイスを縦置きして固着した状態の蓋を外した梱包ケース本体の上面図を示し、図２（ｂ）はＡ−Ａ’に於ける断面図で蓋を被せた状態を示す。第二の実施例は、梱包ケースに光学デバイスを２段積みして収納した例を示し、第一の実施例と同様な構造で、光学デバイスの収容数を増やすための構造である。梱包ケース本体１５の内部底面に所定の間隔で点状のゲル１１を複数配列し、夫々のゲル１１の表面に光学デバイス１２ａを縦置きして固着した後、該固着自立した複数の光学デバイス１２ａに対応した位置に設けた保持材１４ａを有する仕切り板１６を、前記光学デバイス１２ａに被せて光学デバイス１２ａを前記保持材１４ａにより保持する。
【００２９】
更に、前記仕切り板１６の他面（上面）に所定の間隔で点状のゲル１１を複数配列し、夫々のゲル１１の表面に光学デバイス１２ｂを縦置きして固着自立させ、該固着自立させた複数の光学デバイス１２ｂに対応した位置に設けた保持材１４ｂを有する蓋１７を、前記梱包ケース本体１５に被せて前記光学デバイス１２ｂを前記保持材１４ｂにより保持している。
尚、第二の実施例は２段済みの場合を示したが、３段済み、或いはそれ以上の多段済みも同様の構造を用いて構成することが可能である。従って、本実施例においては、光学デバイスの収納数量に合わせて任意の構造をとることが出来、光学デバイスを汚損することなく低コストで使い勝手の良い梱包ケースを提供出来る。
【００３０】
図３は、本発明に係る梱包ケースの第三の実施例を示す構造図であり、図３（ａ）は、内部構造を示し、図３（ｂ）は、梱包ケースの断面図を示す。第三の実施例は、梱包ケースを二重構造としたもので、所定の間隔で点状のゲル１１を複数配列した下板１８ａの前記ゲル１１の夫々に、光学デバイス１２を縦置きして固着自立させ、該光学デバイス１２に対応する位置に保持材１４を設けた上板１８ｂで挟み込んで光学デバイス１２を保持し、箱型の梱包ケース本体１９に収納して蓋２０を被せたものである。
【００３１】
この構造は、梱包ケースに直接複数の光学デバイス１２を固着していないので、光学デバイス１２の出荷時に取扱の自由度が増して効果的であると共に、光学デバイスを汚損することなく低コストで使い勝手の良い梱包ケースを提供出来る。第三の実施例においても、第二の実施例で示したように光学デバイス１２を多段に積み重ねることが可能である。
【００３２】
図４は、本発明に係る梱包ケースの第四の実施例を示す構造図である。図４（ａ）は光学デバイスを縦置きして固着した状態の蓋を外した梱包ケース本体の上面図を示し、図４（ｂ）はＡ−Ａ’に於ける断面図で蓋を被せた状態を示す。第四の実施例は、自立している光学デバイスの光学面に平行に、図面に向かって横方向にガイドを設けたものであって、梱包ケースを開封した際に、光学デバイスが倒れてしまった場合に、光学デバイス同士が接触することを防ぐものである。そこで、梱包ケース本体２１の内部底面に所定の間隔で点状のゲル１１を複数配列し、夫々のゲル１１の表面に光学デバイス１２を固着させたものであり、光学デバイス１２の収容数を増すため、光学デバイス１２を縦置きしている。
【００３３】
前述したように、光学デバイス１２の光学面に平行に光学デバイス１２の倒れ防止用のガイド２２が設けられている。一方、ゲル１１の固着力により光学デバイス１２は自立しているが、更に耐振強度を高めるため、蓋２３には、蓋２３を用いて複数の光学デバイス１２を保持するための保持材１４が設けられており、梱包ケース本体２１に蓋２３を被せる事により複数の光学デバイス１２を保持する。従って、本実施例においても光学デバイスを汚損することなく低コストで使い勝手の良い梱包ケースを提供出来る。
【００３４】
図５は、本発明に係る梱包ケースの第五の実施例を示す構造図である。図５（ａ）は光学デバイスを縦置きして固着した状態の蓋を外した梱包ケース本体の上面図を示し、図５（ｂ）はＡ−Ａ’に於ける断面図で蓋を被せた状態を示す。第五の実施例は、第四の実施例の変形例であって、梱包ケース本体、及び蓋の構造は第四の実施例と同一であるが、ゲルの塗布方法を変更したものであり、ゲル２４を点状に配置するのではなく所定の幅で帯状に配置したことが特徴である。そこで、梱包ケース本体２１の内部底面に所定の幅で帯状に配置したゲル２４に、所定の間隔で光学デバイス１２を固着させたものであり、光学デバイス１２の収容数を増すため、光学デバイス１２を縦置きしている。
【００３５】
又、光学デバイス１２の光学面に平行に、光学デバイス１２の倒れ防止用のガイド２２が設けられている。一方、ゲル１１の固着力により光学デバイス１２は自立しているが、更に耐振強度を高めるため、蓋２３には、蓋２３を用いて複数の光学デバイス１２を保持するための保持材１４が設けられており、梱包ケース本体２１に蓋２３を被せる事により複数の光学デバイス１２を保持する。従って、本実施例においても光学デバイスを汚損することなく低コストで使い勝手の良い梱包ケースを提供出来る。
【００３６】
図６は、本発明に係る梱包ケースの第六の実施例を示す構造図である。図６（ａ）は光学デバイスを縦置きして固着した状態の蓋を外した梱包ケース本体の上面図を示し、図６（ｂ）はＡ−Ａ’に於ける断面図で蓋を被せた状態を示す。第六の実施例は、第四の実施例の変形例であって、ガイドの形状を変更したものである。梱包ケース本体２５の底面には、例えば、菱形上の凹部２６を帯状に複数形成し、この凹部２６の中心部に点状のゲル１１を配置し、光学デバイス１２を固着させる。光学デバイス１２を凹部に収容することにより、梱包ケースの開封時に光学デバイスが倒れてしまった場合であっても、光学デバイス同士が接触することは無い。
【００３７】
一方、ゲル１１の固着力により光学デバイス１２は自立しているが、更に耐振強度を高めるため、蓋２７には、蓋２７を用いて複数の光学デバイス１２を保持するための保持材１４が設けられており、梱包ケース本体２５に蓋２７を被せる事により複数の光学デバイス１２を保持する。尚、凹部２６の形状は、菱形に限定されるものではなく、光学デバイス１２が倒れた際に光学デバイス１２を保護できるものであれば、どのような形状であっても良い。従って、本実施例においても光学デバイスを汚損することなく低コストで使い勝手の良い梱包ケースを提供出来る。
【００３８】
図７は、本発明に係る梱包ケースの第七の実施例を示す構造図である。図７（ａ）は光学デバイスを縦置きして固着した状態の蓋を外した梱包ケース本体の上面図を示し、図７（ｂ）はＡ−Ａ’に於ける断面図で蓋を被せた状態を示す。第七の実施例は、第一の実施例の変形例であって、光学デバイスを固着するゲルの塗布方法を変更したものであり、自立させる光学デバイス底面の両角の２箇所にゲルを配置して固着させたものである。そこで、梱包ケース本体１０の内部底面の所定の位置に、光学デバイス１２の底面の両角に対応した間隔で２個所の点状のゲル２８を複数施し、夫々１対のゲル２８の表面に光学デバイス１２を固着させたものであり、光学デバイス１２の収容数を増すため、光学デバイス１２を縦置きしている。
【００３９】
一方、ゲル１１の固着力により光学デバイス１２は自立しているが、更に耐振強度を高めるため、蓋１３には、蓋１３を用いて複数の光学デバイス１２を保持するための保持材１４が設けられており、梱包ケース本体１０に蓋１３を被せる事により複数の光学デバイス１２を保持する。従って、本実施例においても第一の実施例と同様に、光学デバイスを汚損することなく低コストで使い勝手の良い梱包ケースを提供出来る。
【００４０】
図８は、本発明に係る梱包ケースの第八の実施例を示す構造図である。図８（ａ）は光学デバイスを平置きして固着した状態の蓋を外した梱包ケース本体の上面図を示し、図８（ｂ）はＡ−Ａ’に於ける断面図で蓋を被せた状態を示す。第八の実施例は、例えば、ユーザから光学デバイスを平置きして納入するよう要求された場合等に対応する梱包ケースの構造であって、梱包ケース本体２９の内部底面の平置きする複数の光学デバイスの４角に相当する位置にゲル３０を点状に４箇所夫々塗布し、該ゲル３０の夫々の表面に光学デバイス１２を固着し、梱包ケース本体２９に蓋３１を被せたものである。この固着方法によれば、光学デバイス１２の光学面とは離れた位置にゲル３０が配置され、光学面をゲル３０により汚損することはない。従って、本実施例のように光学デバイスを平置きした場合であっても、低コストで使い勝手の良い梱包ケースを提供出来る。
【００４１】
図９は、本発明に係る梱包ケースの第九の実施例を示す構造図である。図９（ａ）は光学デバイスを平置きして固着した状態の蓋を外した梱包ケース本体の上面図を示し、図９（ｂ）はＡ−Ａ’に於ける断面図で蓋を被せた状態を示す。第九の実施例は、第八の実施例の変形例であって、梱包ケース本体３２の内部底面に、所定の間隔で三角状のテーパー部３３を複数設け、二つのテーパー部３３に跨って平置きした場合の光学デバイス１２の４角に相当する位置に点状に４個所のゲル３４を配置して、複数の光学デバイス１２を平置きして固着し、梱包ケース本体３２に蓋３５を被せた構造である。この固着方法によれば、光学デバイス１２の辺のみがゲルと接触し、光学面を汚損することなく、光学デバイス１２を平置きして低コストで使い勝手の良い梱包ケースを提供出来る。
【図面の簡単な説明】
【００４２】
【図１】本発明に係る梱包ケースの第一の実施例を示す構造図である。
【図２】本発明に係る梱包ケースの第二の実施例を示す構造図である。
【図３】本発明に係る梱包ケースの第三の実施例を示す構造図である。
【図４】本発明に係る梱包ケースの第四の実施例を示す構造図である。
【図５】本発明に係る梱包ケースの第五の実施例を示す構造図である。
【図６】本発明に係る梱包ケースの第六の実施例を示す構造図である。
【図７】本発明に係る梱包ケースの第七の実施例を示す構造図である。
【図８】本発明に係る梱包ケースの第八の実施例を示す構造図である。
【図９】本発明に係る梱包ケースの第九の実施例を示す構造図である。
【図１０】従来の光デバイス用梱包ケースの第一事例の構成を示す外観例である。
【図１１】従来の光デバイス用梱包ケースの第二事例の構成を示す外観例である。
【図１２】従来の光デバイス用梱包ケースの第三事例の構成を示す外観例である。
【符号の説明】
【００４３】
１・・梱包ケース本体、                ２・・ゲル、
３・・プリズム、                      ４・・蓋、
５・・梱包ケース本体、                ６・・ＯＬＰＦ、
７・・蓋、                            ８・・梱包ケース本体、
９・・蓋、                          １０・・梱包ケース本体、
１１・・ゲル、                        １２、１２ａ、１２ｂ・・光学デバイス、
１３・・蓋、                          １４、１４ａ、１４ｂ・・保持材、
１５・・梱包ケース本体、              １６・・仕切り板、
１７・・蓋、                          １８ａ・・下板、
１８ｂ・・上板、                      １９・・梱包ケース本体、
２０・・蓋、                          ２１・・梱包ケース本体、
２２・・ガイド、                      ２３・・蓋、
２４・・ゲル、                        ２５・・梱包ケース本体、
２６・・凹部、                        ２７・・蓋、
２８・・ゲル、                        ２９・・梱包ケース本体、
３０・・ゲル、                        ３１・・蓋、
３２・・梱包ケース本体、              ３３・・テーパー部、
３４・・ゲル、                        ３５・・蓋
【図１】
2006151462.tif 000003
【図２】
2006151462.tif 000004
【図３】
2006151462.tif 000005
【図４】
2006151462.tif 000006
【図５】
2006151462.tif 000007
【図６】
2006151462.tif 000008
【図７】
2006151462.tif 000009
【図８】
2006151462.tif 000010
【図９】
2006151462.tif 000011
【図１０】
2006151462.tif 000012
【図１１】
2006151462.tif 000013
【図１２】
2006151462.tif 000014